(57)【要約】      （修正有）【課題】透明ビーズが有色粒状物により覆われることがなく、透明ビーズを通しての反射効果を損なうことがなく、有色粒状物が透明ビーズを介して様々に変化して外観され、従来にない表面外観を現出できる化粧パネルを提供する。【解決手段】基材１の上面に着色塗装層２を形成する。着色塗装層２の上に、透明ビーズ３と有色粒状物４とを混入した透明又は半透明の表面塗装層５を形成する。表面塗装層５に混入した透明ビーズ３が有色粒状物４よりも大径である。【選択図】図１
2008207394.tif 000002
【特許請求の範囲】
【請求項１】
基材の上面に着色塗装層を形成し、着色塗装層の上に、透明ビーズと有色粒状物とを混入した透明又は半透明の表面塗装層を形成し、上記表面塗装層に混入した透明ビーズが有色粒状物よりも大径であることを特徴とする化粧パネル。
【請求項２】
透明ビーズの粒径が表面塗装層の厚みよりも大きいことを特徴とする請求項１記載の化粧パネル。
【請求項３】
透明ビーズは粒径２０μｍ以上、７０μｍ以下の範囲で選択された任意の粒径であり、有色粒状物の粒径が１０μｍ以上、６０μｍ以下の範囲で選択された任意の粒径であり、且つ、上記範囲で選択された透明ビーズの粒径が、上記範囲で選択された有色粒状物の粒径よりも大径であることを特徴とする請求項１又は請求項２記載の化粧パネル。
【請求項４】
有色粒状物が黒色系統の粒状物であることを特徴とする請求項１乃至請求項３のいずれか一項に記載の化粧パネル。
【請求項５】
基材の上面が山部と谷部とを有する凹凸面であることを特徴とする請求項１乃至請求項３のいずれか一項に記載の化粧パネル。
【発明の詳細な説明】
【技術分野】
【０００１】
本発明は、表面に塗装を施した化粧パネルに関するものである。
【背景技術】
【０００２】
従来から、従来から特許文献１により、基材の上面に骨材を混入した中間層を形成し、該中間層の上に透明ビーズと雲母を混入した表面塗装層を形成した化粧パネルが知られている。
【０００３】
上記特許文献１に示された従来例にあっては、中間層の骨材並びに表面層中の雲母及び透明又は半透明ビーズにより特有の反射光面を有する石目調の外観を呈するようにすることを目的としたものである。
【０００４】
しかしながら上記従来例にあっては、雲母は鱗片状であるため、鱗片が表面塗装層の厚み方向と直交する方向となるように横向きに存在し、しかも、透明又は半透明のビーズは鱗片状の雲母よりも小さいので、横向きとなった鱗片状の雲母によりビーズが覆われてしまう部分があり、透明又は半透明のビーズを通しての光の反射効果を損なうという問題があった。
【特許文献１】実開平７−４０３４号公報
【発明の開示】
【発明が解決しようとする課題】
【０００５】
本発明は上記の従来の問題点に鑑みて発明したものであって、透明ビーズが有色粒状物により覆われることがなく、透明ビーズを通しての反射効果を損なうことがなく、有色粒状物が透明ビーズを介して様々に変化して外観され、従来にない表面外観を現出できる化粧パネルを提供することを課題とするものである。
【課題を解決するための手段】
【０００６】
上記課題を解決するために本発明に係る化粧パネルは、基材１の上面に着色塗装層２を形成し、着色塗装層２の上に、透明ビーズ３と有色粒状物４とを混入した透明又は半透明の表面塗装層５を形成し、上記表面塗装層５に混入した透明ビーズ３が有色粒状物４よりも大径であることを特徴とするものである。
【０００７】
このような構成とすることで、透明又は半透明の表面塗装層５を介して着色塗装層２、透明ビーズ３、有色粒状物４が見えるのであるが、透明又は半透明の表面塗装層５内において透明ビーズ３が有色粒状物４よりも大径であるため、透明ビーズ３が有色粒状物４で遮蔽されることがなく、透明ビーズ３を通して表面塗装層５や透明ビーズ３の側方や下方に位置する複数の有色粒状物４が見え、この場合、透明ビーズ３を通過する光が様々に乱反射して見えるため、一つの透明ビーズ３を介して複数の有色粒状物４や表面塗装層５が様々に変化して見えることになる。
【０００８】
また、透明ビーズ３の粒径が表面塗装層５の厚みよりも大きいことが好ましい。
【０００９】
このような構成とすることで、表面塗装層５の表面に透明ビーズ３の一部が突出して表面塗装層５の表面が凹凸状となり、透明ビーズ３の全体が表面塗装層５内に埋設してある場合に比べてより多様で複雑な乱反射状態を現出できる。
【００１０】
ここで、透明ビーズ３は粒径２０μｍ以上、７０μｍ以下の範囲で選択された任意の粒径であり、有色粒状物４の粒径が１０μｍ以上、６０μｍ以下の範囲で選択された任意の粒径であり、且つ、上記範囲で選択された透明ビーズ３の粒径が、上記範囲で選択された有色粒状物４の粒径よりも大径であることが好ましい。例えば、透明ビーズ３として粒径が３０μｍを使用した場合、有色粒状物４の粒径として２０μｍを使用する。
【００１１】
また、使用する有色粒状物４としては黒色系統の粒状物であることが好ましい。
【００１２】
黒色系統の粒状物で影を強調できて深み感を現出できる。
【００１３】
また、基材１の上面が山部６と谷部７とを有する凹凸面８であることが好ましい。
【００１４】
このような構成とすることで、立体感に優れた表面塗装層５とすることができる。
【発明の効果】
【００１５】
本発明は、透明ビーズが有色粒状物で完全に覆われることがなく、透明ビーズを通して表面塗装層や透明ビーズの側方や下方に位置する複数の有色粒状物が見え、透明ビーズを通過する光が様々に乱反射して見えるため、一つの透明ビーズを介して複数の有色粒状物や表面塗装層が様々に変化して見え、奥行き感を現出できる。
【発明を実施するための最良の形態】
【００１６】
以下、本発明を添付図面に示す実施形態に基いて説明する。
【００１７】
金属、窯業系材料、合成樹脂、木質系等の材料により形成された基材１の上面に着色塗装層２が形成し、該着色塗装層２の上に、透明ビーズ３と有色粒状物４とを混入した透明又は半透明の表面塗装層５を形成してある。また、基材１の下面にはバックコート９が形成してある。
【００１８】
図１に示す実施形態においては、基材１の上面が山部６と谷部７とを有する凹凸面８となっている。この基材１の上面の凹凸面８にアクリルウレタン系塗料を塗布して着色塗装層２を形成してある。
【００１９】
更に、上面が凹凸状となった着色塗装層２の上面に透明ビーズ３と有色粒状物４とを混入した透明又は半透明の表面塗装層５を形成してある。透明塗料層５はウレタンカラークリア塗料や紫外線硬化型のカラークリア塗料に透明ビーズ３と有色粒状物４とを混入したものを着色塗装層２上に塗布することで形成するものである。
【００２０】
ここで、表面塗装層５に混入した透明ビーズ３は有色粒状物４よりも大径である。
【００２１】
実施例としては、透明ビーズ３は粒径２０μｍ以上、７０μｍ以下の範囲で選択された任意の粒径であり、有色粒状物４の粒径が１０μｍ以上、６０μｍ以下の範囲で選択された任意の粒径であるが、上記範囲で選択された透明ビーズ３の粒径は、上記範囲で選択された有色粒状物４の粒径よりも大径とする。
【００２２】
ここで、本発明の化粧パネルは、透明又は半透明の表面塗装層５を介して着色塗装層２及び表面塗装層５内の透明ビーズ３、有色粒状物４が見える。この場合、透明又は半透明の表面塗装層５内において透明ビーズ３が有色粒状物４よりも大径であるため、透明ビーズ３が有色粒状物４で遮蔽されることがなく、透明ビーズ３を通して表面塗装層５や透明ビーズ３の側方や下方に位置する複数の有色粒状物４が見え、この場合、透明ビーズ３を通過する光が様々に乱反射して見えるため、一つの透明ビーズ３を介して複数の有色粒状物４や表面塗装層５が様々に変化して見えることになる。また、透明ビーズ３で光を乱反射することで、艶消し感を現出することができる。
【００２３】
添付図面に示す実施形態においては、上記のように透明ビーズ３の粒径は上記のように有色粒状物４の粒径よりも大きいことに加え、更に透明ビーズ３の粒径が表面塗装層５の厚みよりも大きい。したがって、透明ビーズ３の一部が必ず透明塗層６の表面から突出して表面塗装層５の表面が凹凸状となり、透明ビーズ３の全体が表面塗装層５内に埋設してある場合に比べてより多様で複雑な乱反射状態が現出するようになる。
【００２４】
有色粒状物４としては種々の色の粒状物が使用できるが、黒色系統の粒状物を使用すると、黒色系統の有色粒状物４で影を強調できて深み感を強調することができることになる。
【００２５】
また、添付図面に示すように、基材１の上面が山部６と谷部７とを有する凹凸面８とすると、着色塗装層２、表面塗装層５ともに凹凸面８にならった凹凸面となり、このため、谷部分が影となって深み感を増すことができ、更に、表面塗装層５を形成するために透明ビーズ３と有色粒状物４とを混入したウレタンカラークリア塗料を塗布すると、有色粒状物４が谷部分に流れ込んで有色粒状物がより多く谷部分に溜まることで隠蔽率が高くなって着色塗装層２を隠蔽しやすく、また、山部分は有色粒状物４が少なくて隠蔽率が低くてベースである着色塗装層２の色を出し易くなっており、グラデーションやツートン柄を表現できる。この場合、上記のように有色粒状物４として黒色系統の粒状物を使用するとよりいっそう谷部分における隠蔽率を高くすることができる。
【００２６】
もちろん、基材１の上面がフラットで、このフラットな基材１の上面に着色塗装層２を形成し、着色塗装層２の上面に表面塗装層５を形成するようにしてもよい。
【図面の簡単な説明】
【００２７】
【図１】本発明の一実施形態の断面図である。
【符号の説明】
【００２８】
１  基材
２  着色塗装層
３  透明ビーズ
４  有色粒状物
５  表面塗装層
６  山部
７  谷部
８  凹凸面
【図１】
2008207394.tif 000003